(57)【特許請求の範囲】
【請求項１】
移動局および移動性管理実体と通信する基地局であって、
前記基地局により構成される第１のセルにおいて輻輳が検出されたことに基づき、前記第１のセルよりも狭い第２のセルを構成する周辺基地局を検出するための第１の指令を、前記移動局に対して送信する第１の送信手段と、
前記第１の指令の送信に基づき、前記移動局から前記検出の結果を受信する受信手段と、
前記周辺基地局が検出された場合であって、当該周辺基地局が前記移動局のアクセスを制限しているとき、前記検出された周辺基地局におけるアクセス制限の解除を要求するための第２の指令を、前記移動性管理実体を経由して当該周辺基地局に送信する第２の送信手段と、
前記第２の指令を送信したことに基づき、前記移動性管理実体を用いて、前記第１のセルを構成する基地局から前記検出された周辺基地局に前記移動局をハンドオーバさせるハンドオーバ制御手段とを備える、基地局。
【請求項２】
前記第１の指令は、前記検出された周辺基地局が前記移動局によるアクセスが制限されている場合であっても当該周辺基地局を検出したことを前記第１のセルを構成する基地局に通知することを指示する指令を含む、請求項１に記載の基地局。
【請求項３】
前記輻輳を検出する検出手段をさらに備える、請求項１または２に記載の基地局。
【請求項４】
前記周辺基地局が複数検出された場合、当該複数の周辺基地局の各々が前記移動局のアクセスが制限されているとき、前記第２の送信手段は、前記第２の指令を当該検出された複数の周辺基地局に対して送信し、
前記ハンドオーバ制御手段は、前記検出された複数の周辺基地局から１つの周辺基地局を選択し、前記第１のセルを構成する基地局から当該選択された周辺基地局に前記移動局をハンドオーバさせる、請求項１に記載の基地局。
【請求項５】
前記第２の送信手段は、前記移動性管理実体を経由して、前記アクセス制限を行なうことを指示するための第３の指令を前記選択されなかった周辺基地局に対して送信する、請求項４に記載の基地局。
【請求項６】
前記第２の指令は、前記検出された周辺基地局に対して、当該周辺基地局が構成する第２のセルをクローズドサブスクライバグループセルからハイブリッドセルまたはオープンセルに変更する指令である、請求項１から５のいずれか１項に記載の基地局。
【請求項７】
前記第１のセルは、マクロセルであり、
前記第２のセルは、ミクロセル、ピコセル、またはフェムトセルである、請求項１から６のいずれか１項に記載の基地局。
【請求項８】
移動局および移動性管理実体と通信し、第１のセルを構成する基地局であって、
前記移動性管理実体が緊急地震速報を受信したことに基づき、前記移動性管理実体によって管理されている前記第１のセルよりも狭い第２のセルを各々に構成する複数の基地局が前記移動局のアクセス制限を解除したことを表す通知を、前記移動性管理実体を経由して受信する受信手段と、
前記通知が受信されたことに基づき、前記移動局に対して、前記第２のセルを構成する複数の基地局のうち当該移動局の周辺に設置されている周辺基地局を検出するための指令を送信する送信手段と、
前記指令の送信に基づき、前記移動局から前記検出の結果を受信する受信手段と、
前記周辺基地局が検出されたことに基づき、前記移動性管理実体を用いて、前記第１のセルを構成する基地局から前記検出された周辺基地局に前記移動局をハンドオーバさせるハンドオーバ制御手段とを備える、基地局。
【請求項９】
前記送信手段は、前記通知が受信されたことに基づき、前記アクセス制限を解除した基地局を表した情報を前記移動局にさらに送信する、請求項８に記載の基地局。
【請求項１０】
前記通知は、前記第２のセルを構成する複数の基地局のうち前記第１のセル内に設置されている基地局について、前記アクセス制限を解除したことを表した通知である、請求項８または９に記載の基地局。
【請求項１１】
前記通知は、前記第２のセルをクローズドサブスクライバグループセルからハイブリッドセルまたはオープンセルに変更したことを表した通知である、請求項８から１０のいずれか１項記載の基地局。
【請求項１２】
前記第１のセルは、マクロセルであり、
前記第２のセルは、ミクロセル、ピコセル、またはフェムトセルである、請求項８から１１のいずれか１項に記載の基地局。
【請求項１３】
複数の移動局および移動性管理実体と通信し、前記複数の移動局の各々に対して個別にアクセス制限が可能な基地局であって、
前記アクセス制限が行なわれていない状態において、前記基地局により構成される第１のセルにおいて輻輳が検出されたこと、または前記アクセス制限の対象とならない移動局のサービス品質の低下が検出されたことに基づき、前記アクセス制限の対象となる移動局に対して、前記第１のセルとは異なる第２のセルを構成する当該移動局の周辺基地局を検出するための指令を送信する送信手段と、
前記指令の送信に基づき、前記アクセス制限の対象となる移動局から前記検出の結果を受信する受信手段と、
前記アクセス制限の対象となる移動局が前記周辺基地局を検出したことに基づき、前記移動性管理実体を用いて、当該移動局を、前記基地局から前記検出された周辺基地局へハンドオーバさせるハンドオーバ制御手段と、
前記ハンドオーバさせたことに基づき、前記基地局の状態を、前記アクセス制限が行なわれていない状態から前記アクセス制限の対象となる移動局に対してアクセス制限を行なう状態に切替える切替手段とを備える、基地局。
【請求項１４】
前記基地局の状態を前記アクセス制限が行なわれていない状態から前記アクセス制限の対象となる移動局に対してアクセス制限を行なう状態への変更が可能か否かを、前記指令を送信する前に判断する判断手段をさらに備える、請求項１３に記載の基地局。
【請求項１５】
前記移動性管理実体を用いて、前記基地局の周辺の通信状況を取得する取得手段をさらに備え、
前記判断手段は、前記取得された通信状況に基づき、前記変更が可能か否かを判断する、請求項１４に記載の基地局。
【請求項１６】
前記基地局は、当該基地局の周辺基地局から受信する電波の強度を測定する測定手段をさらに備え、
前記判断手段は、前記測定された強度に基づき、前記変更が可能か否かを判断する、請求項１４に記載の基地局。
【請求項１７】
前記第２のセルは、マクロセルであり、
前記第１のセルは、ミクロセル、ピコセル、またはフェムトセルである、請求項１３から１６のいずれか１項に記載の基地局。
【請求項１８】
移動局と、第１のセルを構成する第１の基地局と、前記第１のセルよりも狭い第２のセルを構成する第２の基地局と、前記第１の基地局および前記第２の基地局を管理する移動性管理実体とを備えた通信システムであって、
前記第１の基地局は、
前記第１の基地局により構成される第１のセルにおいて輻輳が検出されたことに基づき、前記移動局に対して、前記第２の基地局を検出するための第１の指令を送信する第１の送信手段を含み、
前記移動局は、
前記第１の基地局から前記第１の指令を受信したことに基づき、前記第２の基地局を検出する検出手段と、
前記検出の結果を前記第１の基地局に送信する第２の送信手段とを含み、
前記第１の基地局は、
前記移動局から前記検出の結果を受信する第２の受信手段と、
前記第２の基地局が検出された場合であって、当該第２の基地局が前記移動局のアクセスを制限しているとき、前記検出された第２の基地局におけるアクセス制限の解除を要求するための第２の指令を、前記移動性管理実体を経由して、当該第２の基地局に送信する第３の送信手段とをさらに含み、
前記第２の基地局は、
前記第２の指示を受信したことに基づき、前記アクセス制限を解除する解除手段と、
前記アクセス制限を解除したことを、前記移動性管理実体を経由して、前記第１の基地局に通知する通知手段とを含み、
前記第１の基地局は、
前記通知を受信したことに基づき、前記移動性管理実体を用いて、前記第１の基地局から前記検出された第２の基地局に前記移動局をハンドオーバさせるハンドオーバ制御手段をさらに含む、通信システム。
【請求項１９】
移動局と、第１のセルを構成する第１の基地局と、前記第１のセルよりも狭い第２のセルを各々に構成する複数の第２の基地局と、前記第１の基地局および前記第２の基地局を管理する移動性管理実体とを備えた通信システムであって、
前記移動性管理実体は、
緊急地震速報を受信する受信手段と、
前記複数の第２の基地局の各々が前記移動局のアクセスを制限している場合に、前記緊急地震速報が受信されたことに基づき、前記複数の第２の基地局の各々における前記移動局のアクセス制限の解除を要求するための第１の指令を、前記第２の基地局に送信する第１の送信手段を含み、
前記第２の基地局は、
前記第１の指令を受信したことに基づき、前記移動局のアクセス制限を解除する解除手段と、
前記アクセス制限を解除したことを表す通知を、前記移動性管理実体を経由して、前記第１の基地局に送信する第２の送信手段とを含み、
前記第１の基地局は、
前記通知を受信したことに基づき、前記移動局に対して、前記複数の第２の基地局のうち当該移動局の周辺に設置されている周辺基地局を検出するための第２の指令を送信する第３の送信手段とを含み、
前記移動局は、
前記第２の指令を受信したことに基づき、前記周辺基地局を検出する検出手段と、
前記検出の結果を、前記第１の基地局に送信する第４の送信手段とを含み、
前記第１の基地局は、
前記周辺基地局が検出されたことに基づき、前記移動性管理実体を用いて、前記第１の基地局から前記検出された周辺基地局に前記移動局をハンドオーバさせるハンドオーバ制御手段をさらに含む、通信システム。
【請求項２０】
複数の移動局と、第１のセルを構成する第１の基地局と、第２のセルを構成する第２の基地局と、前記第１の基地局および前記第２の基地局を管理する移動性管理実体とを備えた通信システムであって、
前記第１の基地局は、
前記複数の移動局の各々に対して個別にアクセス制限が可能な基地局であって、
前記第１の基地局により構成される第１のセルにおいて輻輳が検出されたこと、または前記アクセス制限の対象とならない移動局のサービス品質の低下が検出されたことに基づき、前記アクセス制限の対象となる移動局に対して、前記第２の基地局を検出するための指令を送信する第１の送信手段を含み、
前記アクセス制限の対象となる移動局は、
前記第１の基地局から前記指令を受信したことに基づき、第２の基地局を検出する検出手段と、
前記検出の結果を前記第１の基地局に送信する第２の送信手段とを含み、
前記第１の基地局は、
前記アクセス制限の対象となる移動局が前記第２の基地局を検出したことに基づき、前記移動性管理実体を用いて、当該移動局を、前記第１の基地局から前記検出された第２の基地局へハンドオーバさせるハンドオーバ制御手段と、
前記ハンドオーバさせたことに基づき、前記第１の基地局の状態を、前記アクセス制限が行なわれていない状態から前記アクセス制限の対象となる移動局に対してアクセス制限を行なう状態に切替える切替手段とを含む、通信システム。
【請求項２１】
移動局および移動性管理実体と通信する基地局における通信方法であって、
前記基地局により構成される第１のセルにおいて輻輳が検出されたことに基づき、前記第１のセルよりも狭い第２のセルを構成する周辺基地局を検出するための第１の指令を、前記移動局に対して送信するステップと、
前記第１の指令の送信に基づき、前記移動局から前記検出の結果を受信するステップと、
前記周辺基地局が検出された場合であって、当該周辺基地局が前記移動局のアクセスを制限しているとき、前記検出された周辺基地局におけるアクセス制限の解除を要求するための第２の指令を、前記移動性管理実体を経由して当該周辺基地局に送信するステップと、
前記第２の指令を送信したことに基づき、前記移動性管理実体を用いて、前記第１のセルを構成する基地局から前記検出された周辺基地局に前記移動局をハンドオーバさせるステップとを備える、通信方法。
【請求項２２】
移動局および移動性管理実体と通信するとともに第１のセルを構成する基地局における通信方法であって、
前記移動性管理実体が緊急地震速報を受信したことに基づき、前記移動性管理実体によって管理されている前記第１のセルよりも狭い第２のセルを各々に構成する複数の基地局が前記移動局のアクセス制限を解除したことを表す通知を、前記移動性管理実体を経由して受信するステップと、
前記通知が受信されたことに基づき、前記移動局に対して、前記第２のセルを構成する複数の基地局のうち当該移動局の周辺に設置されている周辺基地局を検出するための指令を送信するステップと、
前記指令の送信に基づき、前記移動局から前記検出の結果を受信する受信手段と、
前記周辺基地局が検出されたことに基づき、前記移動性管理実体を用いて、前記第１のセルを構成する基地局から前記検出された周辺基地局に前記移動局をハンドオーバさせるステップとを備える、通信方法。
【請求項２３】
複数の移動局および移動性管理実体と通信するとともに前記複数の移動局の各々に対して個別にアクセス制限が可能な基地局における通信方法であって、
前記アクセス制限が行なわれていない状態において、前記基地局により構成される第１のセルにおいて輻輳が検出されたこと、または前記アクセス制限の対象とならない移動局のサービス品質の低下が検出されたことに基づき、前記アクセス制限の対象となる移動局に対して、前記第１のセルとは異なる第２のセルを構成する当該移動局の周辺基地局を検出するための指令を送信するステップと、
前記指令の送信に基づき、前記アクセス制限の対象となる移動局から前記検出の結果を受信するステップと、
前記アクセス制限の対象となる移動局が前記周辺基地局を検出したことに基づき、前記移動性管理実体を用いて、当該移動局を、前記基地局から前記検出された周辺基地局へハンドオーバさせるステップと、
前記ハンドオーバさせたことに基づき、前記基地局の状態を、前記アクセス制限が行なわれていない状態から前記アクセス制限の対象となる移動局に対してアクセス制限を行なう状態に切替えるステップとを備える、通信方法。
【請求項２４】
移動局および移動性管理実体と通信する基地局を制御するためのプログラムであって、
前記基地局により構成される第１のセルにおいて輻輳が検出されたことに基づき、前記第１のセルよりも狭い第２のセルを構成する周辺基地局を検出するための第１の指令を、前記移動局に対して送信するステップと、
前記第１の指令の送信に基づき、前記移動局から前記検出の結果を受信するステップと、
前記周辺基地局が検出された場合であって、当該周辺基地局が前記移動局のアクセスを制限しているとき、前記検出された周辺基地局におけるアクセス制限の解除を要求するための第２の指令を、前記移動性管理実体を経由して当該周辺基地局に送信するステップと、
前記第２の指令を送信したことに基づき、前記移動性管理実体を用いて、前記第１のセルを構成する基地局から前記検出された周辺基地局に前記移動局をハンドオーバさせるステップと、前記基地局のプロセッサに実行させる、プログラム。
【請求項２５】
移動局および移動性管理実体と通信するとともに第１のセルを構成する基地局を制御するためのプログラムであって、
前記移動性管理実体が緊急地震速報を受信したことに基づき、前記移動性管理実体によって管理されている前記第１のセルよりも狭い第２のセルを各々に構成する複数の基地局が前記移動局のアクセス制限を解除したことを表す通知を、前記移動性管理実体を経由して受信するステップと、
前記通知が受信されたことに基づき、前記移動局に対して、前記第２のセルを構成する複数の基地局のうち当該移動局の周辺に設置されている周辺基地局を検出するための指令を送信するステップと、
前記指令の送信に基づき、前記移動局から前記検出の結果を受信する受信手段と、
前記周辺基地局が検出されたことに基づき、前記移動性管理実体を用いて、前記第１のセルを構成する基地局から前記検出された周辺基地局に前記移動局をハンドオーバさせるステップとを、前記基地局のプロセッサに実行させる、プログラム。
【請求項２６】
複数の移動局および移動性管理実体と通信するとともに前記複数の移動局の各々に対して個別にアクセス制限が可能な基地局を制御するためのプログラムであって、
前記アクセス制限が行なわれていない状態において、前記基地局により構成される第１のセルにおいて輻輳が検出されたこと、または前記アクセス制限の対象とならない移動局のサービス品質の低下が検出されたことに基づき、前記アクセス制限の対象となる移動局に対して、前記第１のセルとは異なる第２のセルを構成する当該移動局の周辺基地局を検出するための指令を送信するステップと、
前記指令の送信に基づき、前記アクセス制限の対象となる移動局から前記検出の結果を受信するステップと、
前記アクセス制限の対象となる移動局が前記周辺基地局を検出したことに基づき、前記移動性管理実体を用いて、当該移動局を、前記基地局から前記検出された周辺基地局へハンドオーバさせるステップと、
前記ハンドオーバさせたことに基づき、前記基地局の状態を、前記アクセス制限が行なわれていない状態から前記アクセス制限の対象となる移動局に対してアクセス制限を行なう状態に切替えるステップとを、前記基地局のプロセッサに実行させる、プログラム。
【発明の詳細な説明】
【技術分野】
【０００１】
本発明は、移動局と通信する基地局、基地局を備える通信システム、基地局における通信方法、および基地局を制御するためのプログラムに関する。
【背景技術】
【０００２】
現在、３ＧＰＰ（3rd Generation Partnership Project）では、ＬＴＥ−Ａ（Long Term Evolution-Advance）の仕様検討が行なわれている。ＬＴＥ−Ａでは、様々な種別のセル（Cell）が混在した状態で配置されることになる。
【０００３】
上記セルの種別としては、ｅＮＢ（evolved Node B：基地局）によって提供されるマクロセル、ＨｅＮＢ（Home evolved Node B：屋内基地局）によって提供されるミクロセル、ピコセル、フェムトセルが挙げられている（非特許文献１参照）。
【０００４】
また、ＨｅＮＢは、提供するサービス種別として、開放モード（Open Mode）、閉鎖モード（Closed Mode）、およびハイブリッドモード（Hybrid Mode）の三種類のアクセスモード（Access Mode）を有している。言い換えれば、ＨｅＮＢが提供するセルには、開放モードに対応するオープンセル、閉鎖モードに対応するＣＳＧ（Closed Subscriber Group）セル、ハイブリッドモードに対応するハイブリッドセルが存在する（非特許文献２参照）。
【０００５】
また、マクロセルとミクロセル等とが混在する環境で、サービスキャパシティを増加させる方法としては、たとえば特許文献１の方法が知られている。当該方法では、ＭＭＥ（Mobility Management Entity）がｅＮＢの輻輳を検出した際に、当該ｅＮＢのサービスエリア内（セル内）に存在する全てのＨｅＮＢのサービス種別を変更える。これにより、当該ｅＮＢにおける過負荷状態を解消している。
【先行技術文献】
【特許文献】
【０００６】
【特許文献１】特開２０１１−４３９９号公報
【非特許文献】
【０００７】
【非特許文献１】3GPP TS 22.220 V11.3.0 (2011-09) (3rd Generation Partnership Project; Technical Specification Group Services and System Aspects; Service requirements for Home Node B (HNB) and Home eNode B (HeNB) (Release 11))
【非特許文献２】3GPP TS 36.331 V10.3.0 (2011-09) (3rd Generation Partnership Project; Technical Specification Group Radio Access Network; Evolved Universal Terrestrial Radio Access (E-UTRA); Radio Resource Control (RRC); Protocol specification (Release 10))
【発明の概要】
【発明が解決しようとする課題】
【０００８】
しかしながら、特許文献１の方法では、ｅＮＢのサービスエリア内に存在する全てのＨｅＮＢのサービス種別を一律に切替えてしまう。それゆえ、周辺にＵＥが存在しないためＵＥが接続する可能性のないＨｅＮＢであっても、サービス種別の変更が行なわれてしまう。
【０００９】
ＨｅＮＢは個人用の小型基地局であるため、ＨｅＮＢの運用に要するコストはＨｅＮＢの所有者が負担している。それゆえ、一律にサービス種別を変更することは問題がある。
【００１０】
本願発明は上記の問題点に鑑みなされたものであって、その目的は、ＵＥが接続する可能性のあるＨｅＮＢのサービス種別を変更可能なｅＮＢ、当該ｅＮＢを備える通信システム、ｅＮＢにおける通信方法、およびｅＮＢを制御するためのプログラムを提供することにある。また、他の目的は、ＵＥの基地局（ｅＮＢ，ＨｅＮＢ）への接続性を向上させることが可能なｅＮＢ、当該ｅＮＢを備える通信システム、ｅＮＢにおける通信方法、およびｅＮＢを制御するためのプログラムを提供することにある。さらに他の目的は、ＵＥとＨｅＮＢとの間の通信品質を向上させることが可能なＨｅＮＢ、当該ＨｅＮＢを備える通信システム、ＨｅＮＢにおける通信方法、およびＨｅＮＢを制御するためのプログラムを提供することにある。
【課題を解決するための手段】
【００１１】
本発明の或る局面にしたがうと、基地局は、移動局および移動性管理実体と通信する。基地局は、基地局により構成される第１のセルにおいて輻輳が検出されたことに基づき、第１のセルよりも狭い第２のセルを構成する周辺基地局を検出するための第１の指令を、移動局に対して送信する第１の送信手段と、第１の指令の送信に基づき、移動局から検出の結果を受信する受信手段と、周辺基地局が検出された場合であって、当該周辺基地局が移動局のアクセスを制限しているとき、検出された周辺基地局におけるアクセス制限の解除を要求するための第２の指令を、移動性管理実体を経由して当該周辺基地局に送信する第２の送信手段と、第２の指令を送信したことに基づき、移動性管理実体を用いて、第１のセルを構成する基地局から検出された周辺基地局に移動局をハンドオーバさせるハンドオーバ制御手段とを備える。
【００１２】
好ましくは、第１の指令は、検出された周辺基地局が移動局によるアクセスが制限されている場合であっても当該周辺基地局を検出したことを第１のセルを構成する基地局に通知することを指示する指令を含む。
【００１３】
好ましくは、基地局は、輻輳を検出する検出手段をさらに備える。
好ましくは、周辺基地局が複数検出された場合、当該複数の周辺基地局の各々が移動局のアクセスが制限されているとき、第２の送信手段は、第２の指令を当該検出された複数の周辺基地局に対して送信する。ハンドオーバ制御手段は、検出された複数の周辺基地局から１つの周辺基地局を選択し、第１のセルを構成する基地局から当該選択された周辺基地局に移動局をハンドオーバさせる。
【００１４】
好ましくは、第２の送信手段は、移動性管理実体を経由して、アクセス制限を行なうことを指示するための第３の指令を選択されなかった周辺基地局に対して送信する。
【００１５】
好ましくは、第２の指令は、検出された周辺基地局に対して、当該周辺基地局が構成する第２のセルをクローズドサブスクライバグループセルからハイブリッドセルまたはオープンセルに変更する指令である。
【００１６】
好ましくは、第１のセルは、マクロセルである。第２のセルは、ミクロセル、ピコセル、またはフェムトセルである。
【００１７】
本発明の他の局面に従うと、基地局は、移動局および移動性管理実体と通信し、第１のセルを構成する。基地局は、移動性管理実体が緊急地震速報を受信したことに基づき、移動性管理実体によって管理されている第１のセルよりも狭い第２のセルを各々に構成する複数の基地局が移動局のアクセス制限を解除したことを表す通知を、移動性管理実体を経由して受信する受信手段と、通知が受信されたことに基づき、移動局に対して、第２のセルを構成する複数の基地局のうち当該移動局の周辺に設置されている周辺基地局を検出するための指令を送信する送信手段と、指令の送信に基づき、移動局から検出の結果を受信する受信手段と、周辺基地局が検出されたことに基づき、移動性管理実体を用いて、第１のセルを構成する基地局から検出された周辺基地局に移動局をハンドオーバさせるハンドオーバ制御手段とを備える。
【００１８】
好ましくは、送信手段は、通知が受信されたことに基づき、アクセス制限を解除した基地局を表した情報を移動局にさらに送信する。
【００１９】
好ましくは、上記通知は、第２のセルを構成する複数の基地局のうち第１のセル内に設置されている基地局について、アクセス制限を解除したことを表した通知である。
【００２０】
好ましくは、上記通知は、第２のセルをクローズドサブスクライバグループセルからハイブリッドセルまたはオープンセルに変更したことを表した通知である。
【００２１】
好ましくは、第１のセルは、マクロセルである。第２のセルは、ミクロセル、ピコセル、またはフェムトセルである。
【００２２】
本発明のさらに他の局面に従うと、基地局は、複数の移動局および移動性管理実体と通信し、複数の移動局の各々に対して個別にアクセス制限が可能である。基地局は、アクセス制限が行なわれていない状態において、基地局により構成される第１のセルにおいて輻輳が検出されたこと、またはアクセス制限の対象とならない移動局のサービス品質の低下が検出されたことに基づき、アクセス制限の対象となる移動局に対して、第１のセルとは異なる第２のセルを構成する当該移動局の周辺基地局を検出するための指令を送信する送信手段と、指令の送信に基づき、アクセス制限の対象となる移動局から検出の結果を受信する受信手段と、アクセス制限の対象となる移動局が周辺基地局を検出したことに基づき、移動性管理実体を用いて、当該移動局を、基地局から検出された周辺基地局へハンドオーバさせるハンドオーバ制御手段と、ハンドオーバさせたことに基づき、基地局の状態を、アクセス制限が行なわれていない状態からアクセス制限の対象となる移動局に対してアクセス制限を行なう状態に切替える切替手段とを備える。
【００２３】
好ましくは、基地局は、基地局の状態をアクセス制限が行なわれていない状態からアクセス制限の対象となる移動局に対してアクセス制限を行なう状態への変更が可能か否かを、指令を送信する前に判断する判断手段をさらに備える。
【００２４】
好ましくは、移動性管理実体を用いて、基地局の周辺の通信状況を取得する取得手段をさらに備える。判断手段は、取得された通信状況に基づき、変更が可能か否かを判断する。
【００２５】
好ましくは、基地局は、当該基地局の周辺基地局から受信する電波の強度を測定する測定手段をさらに備える。判断手段は、測定された強度に基づき、変更が可能か否かを判断する。
【００２６】
好ましくは、第２のセルは、マクロセルである。第１のセルは、ミクロセル、ピコセル、またはフェムトセルである。
【００２７】
本発明のさらに他の局面に従うと、通信システムは、移動局と、第１のセルを構成する第１の基地局と、第１のセルよりも狭い第２のセルを構成する第２の基地局と、第１の基地局および第２の基地局を管理する移動性管理実体とを備える。第１の基地局は、第１の基地局により構成される第１のセルにおいて輻輳が検出されたことに基づき、移動局に対して、第２の基地局を検出するための第１の指令を送信する第１の送信手段を含む。移動局は、第１の基地局から第１の指令を受信したことに基づき、第２の基地局を検出する検出手段と、検出の結果を第１の基地局に送信する第２の送信手段とを含む。第１の基地局は、移動局から検出の結果を受信する第２の受信手段と、第２の基地局が検出された場合であって、当該第２の基地局が移動局のアクセスを制限しているとき、検出された第２の基地局におけるアクセス制限の解除を要求するための第２の指令を、移動性管理実体を経由して、当該第２の基地局に送信する第３の送信手段とをさらに含む。第２の基地局は、第２の指示を受信したことに基づき、アクセス制限を解除する解除手段と、アクセス制限を解除したことを、移動性管理実体を経由して、第１の基地局に通知する通知手段とを含む。第１の基地局は、通知を受信したことに基づき、移動性管理実体を用いて、第１の基地局から検出された第２の基地局に移動局をハンドオーバさせるハンドオーバ制御手段をさらに含む。
【００２８】
本発明のさらに他の局面に従うと、通信システムは、移動局と、第１のセルを構成する第１の基地局と、第１のセルよりも狭い第２のセルを各々に構成する複数の第２の基地局と、第１の基地局および第２の基地局を管理する移動性管理実体とを備える。移動性管理実体は、緊急地震速報を受信する受信手段と、複数の第２の基地局の各々が移動局のアクセスを制限している場合に、緊急地震速報が受信されたことに基づき、複数の第２の基地局の各々における移動局のアクセス制限の解除を要求するための第１の指令を、第２の基地局に送信する第１の送信手段を含む。第２の基地局は、第１の指令を受信したことに基づき、移動局のアクセス制限を解除する解除手段と、アクセス制限を解除したことを表す通知を、移動性管理実体を経由して、第１の基地局に送信する第２の送信手段とを含む。第１の基地局は、通知を受信したことに基づき、移動局に対して、複数の第２の基地局のうち当該移動局の周辺に設置されている周辺基地局を検出するための第２の指令を送信する第３の送信手段とを含む。移動局は、第２の指令を受信したことに基づき、周辺基地局を検出する検出手段と、検出の結果を、第１の基地局に送信する第４の送信手段とを含む。第１の基地局は、周辺基地局が検出されたことに基づき、移動性管理実体を用いて、第１の基地局から検出された周辺基地局に移動局をハンドオーバさせるハンドオーバ制御手段をさらに含む。
【００２９】
本発明のさらに他の局面に従うと、通信システムは、複数の移動局と、第１のセルを構成する第１の基地局と、第２のセルを構成する第２の基地局と、第１の基地局および第２の基地局を管理する移動性管理実体とを備える。第１の基地局は、複数の移動局の各々に対して個別にアクセス制限が可能な基地局である。第１の基地局は、第１の基地局により構成される第１のセルにおいて輻輳が検出されたこと、またはアクセス制限の対象とならない移動局のサービス品質の低下が検出されたことに基づき、アクセス制限の対象となる移動局に対して、第２の基地局を検出するための指令を送信する第１の送信手段を含む。アクセス制限の対象となる移動局は、第１の基地局から指令を受信したことに基づき、第２の基地局を検出する検出手段と、検出の結果を第１の基地局に送信する第２の送信手段とを含む。第１の基地局は、アクセス制限の対象となる移動局が第２の基地局を検出したことに基づき、移動性管理実体を用いて、当該移動局を、第１の基地局から検出された第２の基地局へハンドオーバさせるハンドオーバ制御手段と、ハンドオーバさせたことに基づき、第１の基地局の状態を、アクセス制限が行なわれていない状態からアクセス制限の対象となる移動局に対してアクセス制限を行なう状態に切替える切替手段とを含む。
【００３０】
本発明のさらに他の局面に従うと、通信方法は、移動局および移動性管理実体と通信する基地局において用いられる。通信方法は、基地局により構成される第１のセルにおいて輻輳が検出されたことに基づき、第１のセルよりも狭い第２のセルを構成する周辺基地局を検出するための第１の指令を、移動局に対して送信するステップと、第１の指令の送信に基づき、移動局から検出の結果を受信するステップと、周辺基地局が検出された場合であって、当該周辺基地局が移動局のアクセスを制限しているとき、検出された周辺基地局におけるアクセス制限の解除を要求するための第２の指令を、移動性管理実体を経由して当該周辺基地局に送信するステップと、第２の指令を送信したことに基づき、移動性管理実体を用いて、第１のセルを構成する基地局から検出された周辺基地局に移動局をハンドオーバさせるステップとを備える。
【００３１】
本発明のさらに他の局面に従うと、通信方法は、移動局および移動性管理実体と通信するとともに第１のセルを構成する基地局において用いられる。通信方法は、移動性管理実体が緊急地震速報を受信したことに基づき、移動性管理実体によって管理されている第１のセルよりも狭い第２のセルを各々に構成する複数の基地局が移動局のアクセス制限を解除したことを表す通知を、移動性管理実体を経由して受信するステップと、通知が受信されたことに基づき、移動局に対して、第２のセルを構成する複数の基地局のうち当該移動局の周辺に設置されている周辺基地局を検出するための指令を送信するステップと、指令の送信に基づき、移動局から検出の結果を受信する受信手段と、周辺基地局が検出されたことに基づき、移動性管理実体を用いて、第１のセルを構成する基地局から検出された周辺基地局に移動局をハンドオーバさせるステップとを備える。
【００３２】
本発明のさらに他の局面に従うと、通信方法は、複数の移動局および移動性管理実体と通信するとともに複数の移動局の各々に対して個別にアクセス制限が可能な基地局において用いられる。通信方法は、アクセス制限が行なわれていない状態において、基地局により構成される第１のセルにおいて輻輳が検出されたこと、またはアクセス制限の対象とならない移動局のサービス品質の低下が検出されたことに基づき、アクセス制限の対象となる移動局に対して、第１のセルとは異なる第２のセルを構成する当該移動局の周辺基地局を検出するための指令を送信するステップと、指令の送信に基づき、アクセス制限の対象となる移動局から検出の結果を受信するステップと、アクセス制限の対象となる移動局が周辺基地局を検出したことに基づき、移動性管理実体を用いて、当該移動局を、基地局から検出された周辺基地局へハンドオーバさせるステップと、ハンドオーバさせたことに基づき、基地局の状態を、アクセス制限が行なわれていない状態からアクセス制限の対象となる移動局に対してアクセス制限を行なう状態に切替えるステップとを備える。
【００３３】
本発明のさらに他の局面に従うと、プログラムは、移動局および移動性管理実体と通信する基地局を制御するために用いられる。プログラムは、基地局により構成される第１のセルにおいて輻輳が検出されたことに基づき、第１のセルよりも狭い第２のセルを構成する周辺基地局を検出するための第１の指令を、移動局に対して送信するステップと、第１の指令の送信に基づき、移動局から検出の結果を受信するステップと、周辺基地局が検出された場合であって、当該周辺基地局が移動局のアクセスを制限しているとき、検出された周辺基地局におけるアクセス制限の解除を要求するための第２の指令を、移動性管理実体を経由して当該周辺基地局に送信するステップと、第２の指令を送信したことに基づき、移動性管理実体を用いて、第１のセルを構成する基地局から検出された周辺基地局に移動局をハンドオーバさせるステップと、基地局のプロセッサに実行させる。
【００３４】
本発明のさらに他の局面に従うと、プログラムは、移動局および移動性管理実体と通信するとともに第１のセルを構成する基地局を制御するために用いられる。プログラムは、移動性管理実体が緊急地震速報を受信したことに基づき、移動性管理実体によって管理されている第１のセルよりも狭い第２のセルを各々に構成する複数の基地局が移動局のアクセス制限を解除したことを表す通知を、移動性管理実体を経由して受信するステップと、通知が受信されたことに基づき、移動局に対して、第２のセルを構成する複数の基地局のうち当該移動局の周辺に設置されている周辺基地局を検出するための指令を送信するステップと、指令の送信に基づき、移動局から検出の結果を受信する受信手段と、周辺基地局が検出されたことに基づき、移動性管理実体を用いて、第１のセルを構成する基地局から検出された周辺基地局に移動局をハンドオーバさせるステップとを、基地局のプロセッサに実行させる。
【００３５】
本発明のさらに他の局面に従うと、プログラムは、複数の移動局および移動性管理実体と通信するとともに複数の移動局の各々に対して個別にアクセス制限が可能な基地局を制御するために用いられる。プログラムは、アクセス制限が行なわれていない状態において、基地局により構成される第１のセルにおいて輻輳が検出されたこと、またはアクセス制限の対象とならない移動局のサービス品質の低下が検出されたことに基づき、アクセス制限の対象となる移動局に対して、第１のセルとは異なる第２のセルを構成する当該移動局の周辺基地局を検出するための指令を送信するステップと、指令の送信に基づき、アクセス制限の対象となる移動局から検出の結果を受信するステップと、アクセス制限の対象となる移動局が周辺基地局を検出したことに基づき、移動性管理実体を用いて、当該移動局を、基地局から検出された周辺基地局へハンドオーバさせるステップと、ハンドオーバさせたことに基づき、基地局の状態を、アクセス制限が行なわれていない状態からアクセス制限の対象となる移動局に対してアクセス制限を行なう状態に切替えるステップとを、基地局のプロセッサに実行させる。
【発明の効果】
【００３６】
本発明によれば、ＵＥが接続する可能性のある小型基地局（ＨｅＮＢ）のサービス種別を変更可能な基地局（ｅＮＢ）を提供可能となる。また、本発明によれば、ＵＥの基地局（ｅＮＢ，ＨｅＮＢ）への接続性を向上させることが可能となる。また、本発明によれば、ＵＥとＨｅＮＢとの間の通信品質を向上させることが可能となる。
【図面の簡単な説明】
【００３７】
【図１】実施の形態１に係る通信システムの概略構成図である。
【図２】ｅＮＢが、自身が構成するセルにおいて輻輳を検出した場合の処理を説明するための図である。
【図３】通信システムの処理を説明するためのシーケンスチャートである。
【図４】ｅＮＢにおける処理の流れを表したフローチャートである。
【図５】ｅＮＢの典型的なハードウェア構成を表した図である。
【図６】ＵＥのハードウェア構成を表した図である。
【図７】ＭＭＥ／Ｓ−ＧＷのハードウェア構成を示した図である。
【図８】通信システムにおける他の処理を説明するためのシーケンスチャートである。
【図９】実施の形態２における通信システムの処理を説明するためのシーケンスチャートである。
【図１０】ｅＮＢが、ＨｅＮＢが構成するセルにおいて輻輳を検出した場合の処理を説明するための図である。
【図１１】実施の形態３における通信システムの処理を説明するためのシーケンスチャートである。
【発明を実施するための形態】
【００３８】
以下、図面を参照しつつ、本発明の各実施の形態に係る通信システムについて説明する。以下の説明では、同一の部品には同一の符号を付してある。それらの名称および機能も同じである。したがって、それらについての詳細な説明は繰り返さない。
【００３９】
［実施の形態１］
＜Ａ．システム構成＞
図１は、本実施の形態に係る通信システム１の概略構成図である。図１を参照して、通信システム１は、複数のｅＮＢ（evolved Node B：基地局）１００ａ，１００ｂと、複数のＨｅＮＢ（Home evolved Node B：屋内基地局）２００ａ，２００ｂ，２００ｃと、ＵＥ（User Equipment：移動局）３００ａ，３００ｂと、ＭＭＥ／Ｓ−ＧＷ（Mobility Management Entity / Serving Gateway：移動性管理実体（移動管理機能）／サービングゲートウェイ）４００と、ＨｅＮＢ−ＧＷ（Home evolved Node B - Gateway：屋内基地局ゲートウェイ）５００とを備える。なお、通信システム１を構成するｅＮＢ，ＵＥ，ＨｅＮＢの数は、一例であって、上記に限定されるものではない。
【００４０】
ｅＮＢ１００ａ，１００ｂおよびＨｅＮＢ２００ａは、ＭＭＥ／Ｓ−ＧＷ４００と通信可能に接続されている。ＨｅＮＢ２００ｂ、２００ｃは、ＨｅＮＢ−ＧＷ５００を介して、ＭＭＥ／Ｓ−ＧＷ４００と通信可能に接続されている。具体的には、ＨｅＮＢ２００ａ，２００ｂ，２００ｃは、家庭用光回線、固定電話回線を介して、ＭＭＥ／Ｓ−ＧＷ４００と通信可能に接続されている。
【００４１】
ｅＮＢ１００ａは、マクロセル９１０ａを構成する。ｅＮＢ１００ｂは、マクロセル９１０ｂを構成する。ＨｅＮＢ２００ａは、ミクロセル９２０ａを構成する。ＨｅＮＢ２００ｂは、ミクロセル９２０ｂを構成する。ＨｅＮＢ２００ｃは、ミクロセル９２０ｃを構成する。なお、ＨｅＮＢ２００ａ，２００ｂ，２００ｃが構成するセルは、ミクロセルに限定されるものではなく、マクロセルよりも小さいセルであればよい。たとえば、ピコセルまたはフェムトセルであってもよい。
【００４２】
なお、以下では、説明の便宜上、ＨｅＮＢ２００ａ，２００ｂ，２００ｃの各々を区別しない場合には、単に、「ＨｅＮＢ２００」と称する。同様に、ＵＥ３００ａ，３００ｂの各々を区別しない場合には、「ＵＥ３００」と称する。さらに同様に、ｅＮＢ１００ａ，１００ｂの各々を区別しない場合には、「ｅＮＢ１００」と称する。
【００４３】
次に、ＨｅＮＢ２００と、ＭＭＥ／Ｓ−ＧＷ４００と、ＨｅＮＢ−ＧＷ５００とについて説明する。
【００４４】
ＨｅＮＢ２００は、提供するサービス種別として、開放モード（Open Mode）、閉鎖モード（Closed Mode）、およびハイブリッドモード（Hybrid Mode）の三種類のアクセスモード（Access Mode）を有している。
【００４５】
開放モードの場合、ＨｅＮＢ２００はｅＮＢと相違がない。それゆえ、全てのＵＥは、ＨｅＮＢ２００にアクセスすることができる。また、アクセスしたＵＥがＣＳＧメンバであるか、または非ＣＳＧメンバであるかは、ネットワークにより区別されない。より詳しくは、ＨｅＮＢ２００は、ＣＳＧ−ＩＤをブロードキャストしない。また、ＨｅＮＢ２００は、開放モードの場合にはｅＮＢと同じＰＣＩ（Physical Cell Identity）を用いる。
【００４６】
閉鎖モードの場合、ＨｅＮＢ２００は、ＣＳＧ（Closed Subscriber Group）メンバしかアクセスを許可しない。また、ＨｅＮＢ２００は、ＣＳＧ用のＰＣＩを使用する。ＨｅＮＢ２００は、システム情報（System Information）によって、ＣＳＧ−ＩＤをブロードキャストする。
【００４７】
ハイブリッドモードの場合、ＨｅＮＢ２００は、全てのＵＥからアクセスできる。しかしながら、ＨｅＮＢ２００にアクセスしたのがＣＳＧメンバか否かについては、ネットワークにより区別される。より詳しくは、ハイブリッドモードの場合、ＣＳＧメンバは、ＣＳＧ基地局としてＨｅＮＢ２００に接続でき、非ＣＳＧメンバは、開放モードの基地局としてＨｅＮＢ２００に接続できる。一般的に、ＨｅＮＢ２００は、ハイブリッドモードの場合にはＣＳＧメンバに対して優先的に無線リソースを割り当てる。ＨｅＮＢ２００は、ハイブリッドモードの場合にはｅＮＢと同じＰＣＩ（Physical Cell Identity）を用いる。また、ＨｅＮＢ２００は、システム情報（System Information）によって、ＣＳＧ−ＩＤをブロードキャストする。
【００４８】
なお、開放モードの場合、ＨｅＮＢ２００が構成するセルは「オープンセル」となる。閉鎖モードの場合、ＨｅＮＢ２００が構成するセルは「クローズドサブスクライバグループセル」となる。ハイブリッドモードの場合、ＨｅＮＢ２００が構成するセルは「ハイブリッドセル」となる。
【００４９】
ＭＭＥ／Ｓ−ＧＷ４００におけるＭＭＥは、主にＵＥの移動性管理、セッション管理、非アクセス層シグナリングの処理及びセキュリティ、アラームメッセージ伝送、アラームメッセージに合ったｅＮＢまたはＨｅＮＢの選択などを実行する。ＭＭＥ／Ｓ−ＧＷ４００におけるＳ−ＧＷは、パケットのルーティングと転送機能、空き状態ＵＥの下りデータバッファリング、ローミング時ホームルーティングデータの上りおよび下り課金などの機能を実行する。
【００５０】
ＨｅＮＢ−ＧＷ５００は、セキュリティの認証などの機能を実行する
＜Ｂ．通信システム１における処理の概要＞
図２は、ｅＮＢ１００ａが、自身が構成するマクロセル９１０ａにおいて輻輳を検出した場合の処理を説明するための図である。図２（ａ）は、輻輳が検出される前の通信システム１における通信状態を説明するための図である。図２（ｂ）は、輻輳が検出された後の通信システム１における通信状態（遷移後の状態）を説明するための図である。なお、ｅＮＢ１００ａの代わりにＭＭＥ／Ｓ−ＧＷ４００が輻輳を検出してもよい。
【００５１】
図２（ａ）を参照して、ｅＮＢ１００ａ，１００ｂおよびＨｅＮＢ−ＧＷ５００は、ＭＭＥ／Ｓ−ＧＷ４００と通信している。ＨｅＮＢ２００ａは、ｅＮＢ１００ａと通信している。ＨｅＮＢ２００ｂ，２００ｃは、ＨｅＮＢ−ＧＷ５００と通信している。つまり、ＨｅＮＢ２００ｂ，２００ｃは、ＨｅＮＢ−ＧＷ５００を介して、ＭＭＥ／Ｓ−ＧＷ４００と通信している。また、ＵＥ３００ａ，３００ｂは、ｅＮＢ１００ａと通信している。さらに、ＨｅＮＢ２００ａ，２００ｂ，２００ｃは、ＵＥ３００ａ，３００ｂに関して、サービス種別が「閉鎖モード」であるとする。
【００５２】
図２（ｂ）を参照して、ｅＮＢ１００ａによってマクロセル９１０ａにおいて輻輳が検出された場合、ＵＥ３００ａは、ｅＮＢ１００ａからＵＥ３００ａの周辺に位置するＨｅＮＢ２００ａにハンドオーバする。この場合、ＨｅＮＢ２００ａは、予め、サービス種別を「閉鎖モード」から「開放モード」または「ハイブリッドモード」に変更しておく必要がある。一方、ＵＥ３００ｂは、ＵＥ３００ｂの周辺に位置するＨｅＮＢが存在しないため、ハンドオーバを行なわない。
【００５３】
以下では、このようなハンドオーバ処理を実現するための具体的構成を説明する。また、以下では、説明の簡略化のため、ＵＥ３００ａおよびＵＥ３００ｂのうち、ＵＥ３００ａに着目して、処理の概要を説明する。
【００５４】
＜Ｃ．データ処理＞
（ｃ１．通信システム１におけるシーケンス）
以下では、前提として、ＨｅＮＢ２００がＵＥ３００のアクセスを制限しているとする。つまり、ＨｅＮＢ２００が、ＵＥ３００に対してアクセスを許可しないＣＳＧセルを構成しているものとする。
【００５５】
図３は、本実施の形態における通信システム１の処理を説明するためのシーケンスチャートである。より具体的には、図３は、通信システム１のうち、ＵＥ３００ａと、ｅＮＢ１００ａと、ＭＭＥ／Ｓ−ＧＷ４００と、ＨｅＮＢ２００ａとの間で行なわれる処理を説明するための図である。
【００５６】
図３を参照して、ＵＥ３００ａとｅＮＢ１００ａとが通信している。また、ｅＮＢ１００ａとＭＭＥ／Ｓ−ＧＷ４００とが通信している。シーケンスＳＱ２において、ｅＮＢ１００ａが輻輳を検出したとする。シーケンスＳＱ４において、ｅＮＢ１００ａは、輻輳が検出されたことに基づき、ＵＥ３００ａの周辺のＨｅＮＢを検出するための指令（ＨｅＮＢのサーチを指示する要求信号）をＵＥ３００ａに対して送信する。具体的には、ｅＮＢ１００ａは、従来用いられている「測定要求（Measurement Control）」をＵＥ３００ａに対して送信する。なお、測定要求は、受信品質を測定するためのものである。
【００５７】
シーケンスＳＱ６において、ＵＥ３００ａは、上記指令に基づき、ＨｅＮＢをサーチする。シーケンスＳＱ８において、ＵＥ３００ａは、検出結果であるサーチ結果（Measurement Report）をｅＮＢ１００ａに通知する。ｅＮＢ１００ａは、当該サーチ結果をＵＥ３００ａから受信する。
【００５８】
サーチ結果が周辺のＨｅＮＢとしてＨｅＮＢ２００ａを検出したことを表している場合、シーケンスＳＱ１０において、ｅＮＢ１００ａは、ＭＭＥ／Ｓ−ＧＷ４００に対して、検出されたＨｅＮＢ２００ａのサービス種別の変更を要求する指令（サービス種別変更要求メッセージ）を送信する。ＭＭＥ／Ｓ−ＧＷ４００は、ｅＮＢ１００ａからサービス種別の変更を要求する指令を受信する。
【００５９】
ここで、当該指令は、サービス種別を「閉鎖モード」から「開放モード」または「ハイブリッドモード」に変更することを指示するものである。換言すれば、当該指令は、検出されたＨｅＮＢ２００ａに対して、ＨｅＮＢ２００ａが構成するミクロセル９２０ａをＣＳＧセルからハイブリッドセルまたはオープンセルに変更する指令である。なお、「開放モード」および「ハイブリッドモード」のいずれに変更するかは、通信システム１において予め定めておけばよい。あるいは、サービス種別の変更を要求する指令に、変更後のサービス種別を特定する情報を含めてもよい。
【００６０】
次いで、ＭＭＥ／Ｓ−ＧＷ４００は、サービス種別の変更（切替）を要求する指令をｅＮＢ１００ａから受信したことに基づき、シーケンスＳＱ１２において、サービス種別の変更を要求する指令をＨｅＮＢ２００ａに転送する。
【００６１】
このように、ｅＮＢ１００ａは、ＵＥ３００ａの周辺に位置するＨｅＮＢ２００ａが検出された場合であって、ＨｅＮＢ２００ａがＵＥ３００ａのアクセスを制限しているとき、検出されたＨｅＮＢ２００ａにおけるアクセス制限の解除を要求するための指令を、ＭＭＥ／Ｓ−ＧＷ４００を経由してＨｅＮＢ２００ａに送信する。
【００６２】
ＨｅＮＢ２００ａは、サービス種別の変更を要求する指令を受信したことに基づき、シーケンスＳＱ１４において、サービス種別を「閉鎖モード」から、たとえば「開放モード」に変更する。ＨｅＮＢ２００ａは、サービス種別を変更したことに基づき、シーケンスＳＱ１６において、要求信号に応じて、サービス種別を切替えたことを表す応答信号（ＡＣＫ）を、ＭＭＥ／Ｓ−ＧＷ４００に送信する。具体的には、ＨｅＮＢ２００ａは、サービス種別の変更を要求する指令を受信したことに基づき、サービス種別の変更が可能であるか否かを判断する。なお、ＨｅＮＢ２００ａは、サービス種別の変更を許容する場合には切替え完了メッセージ（ＡＣＫ）を送信し、サービス種別の変更を許容しない場合には切替拒否応答（ＮＡＣＫ）を送信する。
【００６３】
シーケンスＳＱ１８において、ＭＭＥ／Ｓ−ＧＷ４００は、受信したＡＣＫ信号を、要求信号の発信元であるｅＮＢ１００ａに転送する。シーケンスＳＱ２０において、ｅＮＢ１００ａは、ＵＥ３００ａに対して、ｅＮＢ１００ａからＨｅＮＢ２００ａにハンドオーバすることを指示する指令を送信する。シーケンスＳＱ２２において、ハンドオーバ処理が実行される。このように、ｅＮＢ１００ａは、サービス種別の変更を要求する指令を送信したことに基づき、ＭＭＥ／Ｓ−ＧＷ４００を用いて、ｅＮＢ１００ａから検出されたＨｅＮＢ２００ａにＵＥ３００ａをハンドオーバさせる処理を実行する。これにより、ＵＥ３００ａは、ＨｅＮＢ２００ａとの通信を開始する。
【００６４】
以上のように、本実施の形態では、ＨｅＮＢ２００ａにおけるサービス種別の変更前の設定では接続できなかったＵＥ３００ａ（つまり、ｎｏｎ−ＣＳＧ ｍｅｍｂｅｒ ＵＥ）を、ｅＮＢ１００ａからＨｅＮＢ２００ａにハンドオーバさせることができる。それゆえ、ｅＮＢ１００により構成されるマクロセル９１０ａの輻輳状態を解消できる。したがって、ＵＥ３００ａの基地局への接続の容易性を向上できる。
【００６５】
さらに、ｅＮＢ１００ａは、ＵＥ３００ａによるサーチ結果を利用するため、ｅＮＢ１００ａのサービスエリア内（マクロセル９１０ａ内）に存在する全てのＨｅＮＢのサービス種別を変更してしまうこともない。換言すれば、ｅＮＢ１００ａは、ＵＥ３００ａのアクセスが拒否されているＨｅＮＢ２００であって、かつＵＥ３００ａが接続する可能性のある必要最低限のＨｅＮＢ２００のみのサービス種別を変更することが可能となる。
【００６６】
加えて、全てのＨｅＮＢ２００のサービス種別を変更する構成に比べて、通信システム１におけるネットワークの処理の負荷を低減することが可能となる。
【００６７】
（ｃ２．ｅＮＢ１００ａにおける制御構造）
図４は、ｅＮＢ１００ａにおける処理の流れを表したフローチャートである。図４を参照して、ステップＳ２において、ｅＮＢ１００ａは、ｅＮＢ１００ａが構成するマクロセル９１０ａにおいて輻輳を検出したか否かを判断する。ｅＮＢ１００ａは、輻輳を検出した場合（ステップＳ２においてＹＥＳ）、ステップＳ４において、ＵＥ３００ａに対して、周辺のＣＳＧセルを構成するＨｅＮＢのサーチを要求する。ｅＮＢ１００ａは、輻輳が検出されない場合（ステップＳ２においてＮＯ）、処理をステップＳ２に進める。
【００６８】
ステップＳ６において、ｅＮＢ１００ａは、ＵＥ３００ａからサーチ結果を受信したか否かを判断する。ｅＮＢ１００ａは、サーチ結果を受信した場合（ステップＳ６においてＹＥＳ）、ステップＳ８において、検出されたＨｅＮＢ（図３ではＨｅＮＢ２００ａ）に対して、サービス種別の変更を要求する指令（サービス種別変更要求メッセージ）を送信する。たとえば、ｅＮＢ１００ａは、検出されたＨｅＮＢのサービス種別を、「閉鎖モード」から「開放モード」への変更を要求する。言い換えれば、ｅＮＢ１００ａは、検出されたＨｅＮＢが構成するセルを、ＣＳＧセルからオープンセルに変更するための指令を送信する。ｅＮＢ１００ａは、サーチ結果を受信していない場合（ステップＳ６においてＮＯ）、処理をステップＳ６に進める。
【００６９】
ステップＳ１０において、ｅＮＢ１００ａは、検出されたＨｅＮＢから、サービス種別の変更を完了した旨の応答（ＡＣＫ）を受信したか否かを判断する。ｅＮＢ１００ａは、ＡＣＫを受信したと判断した場合（ステップＳ１０においてＹＥＳ）、ステップＳ１２において、ｅＮＢ１００ａは、ＵＥ３００ａに対して、検出されたＨｅＮＢへのハンドオーバを指示する。ｅＮＢ１００ａは、ＮＡＣＫを受信するなどしてＡＣＫを受信できなかった場合（ステップＳ１０においてＮＯ）、ＵＥ３００ａとの通信を継続する。
【００７０】
ステップＳ１４において、ｅＮＢ１００ａは、ＵＥ３００ａをｅＮＢ１００ａから検出されたＨｅＮＢにハンドオーバさせる処理を行なう。ステップＳ１４が終了すると、ｅＮＢ１００ａは、ＵＥ３００ａとの通信を終了する。
【００７１】
＜Ｄ．ハードウェア構成＞
（ｄ１．ｅＮＢ１００ａ）
図５は、ｅＮＢ１００ａの典型的なハードウェア構成を表した図である。図５を参照して、ｅＮＢ１００ａは、アンテナ１１０と、無線処理部１３０と、制御・ベースバンド部１５０とを備える。
【００７２】
無線処理部１３０は、デュプレクサ１３０１と、パワーアンプ１３０３と、ローノイズアンプ１３０５と、送信回路１３０７と、受信回路１３０９と、直交変復調部１３１０とを備える。制御・ベースバンド部１５０は、ベースバンド回路１５１と、制御装置１５２と、電源装置１５５と、タイミング制御部１５３と、通信インターフェイス１５４とを備える。制御装置１５２は、ＣＰＵ１５２１と、ＲＯＭ１５２２と、ＲＡＭ１５２３と、不揮発性メモリ１５２４と、ＨＤＤ（Hard Disk Drive）１５２５とを備える。
【００７３】
直交変復調部１３１１は、ベースバンド回路１５１で処理されるＯＦＤＭ（Orthogonal Frequency Division Multiplexing）信号を直交変復調し、アナログ信号（ＲＦ（Radio Frequency）信号）と変換する。送信回路１３０７は、直交変復調部１３１１で生成されたＲＦ信号を、電波として送出する周波数に変換する。受信回路１３０９は、受信した電波を直交変復調部１３１１で処理する周波数に変換する。
【００７４】
パワーアンプ１３０３は、送信回路１３０７で生成したＲＦ信号を、アンテナ１１０から送信するために電力増幅する。ローノイズアンプ１３０５は、アンテナ１１０で受信した微弱電波を増幅し、受信回路１３０９に渡す。
【００７５】
制御装置１５２は、ｅＮＢ１００ａ全体の制御、および呼制御のプロトコルや制御監視を行なう。タイミング制御部１５３は、伝送路等から抽出した基準クロックを基に、ｅＮＢ１００ａ内部で使用する各種クロックを生成する。
【００７６】
通信インターフェイス１５４は、イーサネット（登録商標）などの伝送路を接続し、ＩＰｓｅｃ（Security Architecture for Internet Protocol）、ＩＰｖ６（Internet Protocol Version 6）等のプロトコルを処理してＩＰパケットの授受を行なう。
【００７７】
ベースバンド回路１５１は、通信インターフェイス１５４を用いて授受するＩＰパケットと、無線上に乗せるＯＦＤＭ信号（ベースバンド信号）の変換（変復調）を行なう。また、ベースバンド信号は無線処理部１３０との間で授受される。
【００７８】
電源装置１５５は、ｅＮＢ１００ａに供給される電圧を、ｅＮＢ１００ａ内部で使用する電圧に変換する。
【００７９】
ｅＮＢ１００ａにおける処理は、各ハードウェアおよびＣＰＵ１５２１により実行されるソフトウェアによって実現される。このようなソフトウェアは、ＨＤＤ１５２５等に予め記憶されている場合がある。また、ソフトウェアは、メモリカード（図示せず）その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタその他の読取装置によりその記憶媒体から読み取られて、あるいは、通信インターフェイス１５４を介してダウンロードされた後、ＨＤＤ１５２５に一旦格納される。そのソフトウェアは、ＣＰＵ１５２１によってＨＤＤ１５２５から読み出され、さらに不揮発性メモリ１５２４に実行可能なプログラムの形式で格納される。ＣＰＵ１５２１は、そのプログラムを実行する。
【００８０】
同図に示されるｅＮＢ１００ａを構成する各構成要素は、一般的なものである。したがって、本発明の本質的な部分は、ＨＤＤ１５２５、不揮発性メモリ１５２４、メモリカードその他の記憶媒体に格納されたソフトウェア、あるいはネットワークを介してダウンロード可能なソフトウェアであるともいえる。なお、ｅＮＢ１００ａの各ハードウェアの動作は周知であるので、詳細な説明は繰り返さない。
【００８１】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、コンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
【００８２】
なお、通信システム１を構成するｅＮＢ１００ｂおよびＨｅＮＢ２００ａ，２００ｂ，２００ｃも、ｅＮＢ１００ａと同様のハードウェア構成を有するため、ＮＢ１００ｂおよびＨｅＮＢ２００ａ，２００ｂ，２００ｃの各々のハードウェア構成については、ここでは繰り返し説明しない。
【００８３】
（ｄ２．ＵＥ３００ａ）
図６は、ＵＥ３００ａのハードウェア構成を表した図である。図６を参照して、ＵＥ３００ａは、アンテナ３０１と、ＲＦ（Radio Frequency）回路３０２と、ベースバンド回路３０３と、ＧＰＳ受信機３０４と、プログラムを実行するアプリケーションプロセッサ３０５と、ＲＯＭ（Read Only Memory）３０６と、ＲＡＭ（Random Access Memory）３０７と、ＮＡＮＤ型のフラッシュメモリ３０８と、ディスプレイ３０９と、カメラ３１０と、マイク３１１と、スピーカ３１２と、ユーザによる指示の入力を受ける操作キー３１３と、通信ＩＦ（Interface）３１４と、ＩＣ（Integrated Circuit）カードリーダライタ３１５と、電源ユニット３１６とを備える。
【００８４】
ＧＰＳ受信機３０４は、アンテナ３０４１と、ＲＦ回路３０４２と、ベースバンド回路３０４３とを含む。ＧＰＳ受信機３０４は、アンテナ３０４１を用いてＧＰＳ衛星９１〜９４の信号を受信する。さらに、ＧＰＳ受信機３０４は、ＲＦ回路３０４２およびベースバンド回路３０４３における処理の結果（つまり、現在地情報）を、アプリケーションプロセッサ３０５に出力する。なお、現在地情報は、緯度、経度、および高度を示した情報である。
【００８５】
アンテナ３０１、ＲＦ回路３０２、およびベースバンド回路３０３は、基地局を介した、他の移動体端末、固定電話、およびＰＣ（Personal Computer）との間における無線通信に用いられる。詳しくは、アンテナ３０１、ＲＦ回路３０２、およびベースバンド回路３０３は、ＵＥ３００ａが携帯電話網を用いた通信を行なうために用いられる。
【００８６】
フラッシュメモリ３０８は、不揮発性の半導体メモリである。フラッシュメモリ３０８は、ＵＥ３００ａを制御するための各種のプログラム、並びに、ＵＥ３００ａが生成したデータ、ＵＥ３００ａの外部装置から取得したデータ等の各種データを揮発的に格納する。
【００８７】
各構成要素３０３〜３１６は、相互にデータバスによって接続されている。ＩＣカードリーダライタ３１５には、メモリカード１１５１が装着される。
【００８８】
ＵＥ３００ａにおける処理は、各ハードウェアおよびアプリケーションプロセッサ３０５により実行されるソフトウェアによって実現される。このようなソフトウェアは、フラッシュメモリ３０８に予め記憶されている場合がある。また、ソフトウェアは、メモリカード１１５１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ３１５その他の読取装置によりその記憶媒体から読み取られて、あるいは、アンテナ３０１、ＲＦ回路３０２、およびベースバンド回路３０３、または通信ＩＦ３１４を介してダウンロードされた後、フラッシュメモリ３０８に一旦格納される。そのソフトウェアは、アプリケーションプロセッサ３０５によってフラッシュメモリ３０８から読み出され、さらにフラッシュメモリ３０８に実行可能なプログラムの形式で格納される。アプリケーションプロセッサ３０５は、そのプログラムを実行する。
【００８９】
同図に示されるＵＥ３００ａを構成する各構成要素は、一般的なものである。したがって、本発明の本質的な部分は、フラッシュメモリ３０８、メモリカード１１５１その他の記憶媒体に格納されたソフトウェア、あるいはネットワークを介してダウンロード可能なソフトウェアであるともいえる。なお、ＵＥ３００ａの各ハードウェアの動作は周知であるので、詳細な説明は繰り返さない。
【００９０】
なお、記録媒体としては、ＤＶＤ-ＲＯＭ、ＣＤ−ＲＯＭ、ＦＤ、ハードディスクに限られず、磁気テープ、カセットテープ、光ディスク、光カード、マスクＲＯＭ、ＥＰＲＯＭ、ＥＥＰＲＯＭ、フラッシュＲＯＭなどの半導体メモリ等の固定的にプログラムを担持する媒体でもよい。また、記録媒体は、当該プログラム等をコンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
【００９１】
なお、ＵＥ３００ｂは、ＵＥ３００ａと同様のハードウェア構成を有するため、ＵＥ３００ｂのハードウェア構成については、ここでは繰り返し説明しない。
【００９２】
（ｄ３．ＭＭＥ／Ｓ−ＧＷ４００）
図７は、ＭＭＥ／Ｓ−ＧＷ４００のハードウェア構成を示した図である。図７を参照して、ＭＭＥ／Ｓ−ＧＷ４００は、主たる構成要素として、プログラムを実行するＣＰＵ４０１と、データを不揮発的に格納するＲＯＭ４０２と、ＣＰＵ４０１によるプログラムの実行により生成されたデータ、又は入力装置（図示せず）を介して入力されたデータを揮発的に格納するＲＡＭ４０３と、データを不揮発的に格納するＨＤＤ４０４と、ＬＥＤ４０５と、スイッチ４０６と、通信ＩＦ（Interface）４０７と、電源回路４０８とを含む。各構成要素は、相互にデータバスによって接続されている。なお、通信ＩＦ４０７は、ｅＮＢ１００ａ，１００ｂ、ＨｅＮＢ２００ａ、およびＨｅＮＢ−ＧＷ５００と通信するためのインターフェイスである。
【００９３】
ＭＭＥ／Ｓ−ＧＷ４００における処理は、各ハードウェアおよびＣＰＵ４０１により実行されるソフトウェアによって実現される。このようなソフトウェアは、ＨＤＤ４０４に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、読取装置によりその記憶媒体から読み取られて、あるいは、たとえば図示しない通信ＩＦ等を介してダウンロードされた後、ＨＤＤ４０４に一旦格納される。そのソフトウェアは、ＣＰＵ４０１によってＨＤＤ４０４から読み出され、ＲＡＭ４０３に実行可能なプログラムの形式で格納される。ＣＰＵ４０１は、そのプログラムを実行する。
【００９４】
同図に示されるＭＭＥ／Ｓ−ＧＷ４００を構成する各構成要素は、一般的なものである。したがって、本発明の本質的な部分は、ＲＡＭ４０３、ＨＤＤ４０４、記憶媒体に格納されたソフトウェア、あるいはネットワークを介してダウンロード可能なソフトウェアであるともいえる。なお、ＭＭＥ／Ｓ−ＧＷ４００の各ハードウェアの動作は周知であるので、詳細な説明は繰り返さない。
【００９５】
なお、記録媒体としては、ＤＶＤ−ＲＡＭに限られず、ＤＶＤ-ＲＯＭ、ＣＤ−ＲＯＭ、ＦＤ、ハードディスク、磁気テープ、カセットテープ、光ディスク、ＥＥＰＲＯＭ、フラッシュＲＯＭなどの半導体メモリ等の固定的にプログラムを担持する媒体でもよい。また、記録媒体は、当該プログラム等をコンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
【００９６】
なお、ＨｅＮＢ−ＧＷ５００についても、ＭＭＥ／Ｓ−ＧＷ４００と同様のハードウェア構成を有するため、ＨｅＮＢ−ＧＷ５００のハードウェア構成については、ここでは繰り返し説明しない。
【００９７】
＜Ｅ．変形例＞
（ｅ１．第１の変形例）
たとえばＵＥ３００ａは、周辺のＨｅＮＢをサーチした場合（図３のシーケンスＳＱ６）において、ＵＥ３００ａが接続できないＨｅＮＢ（ＣＳＧメンバでないＨｅＮＢ）を検出したとき、現在接続しているｅＮＢ１００ａに当該ＨｅＮＢをサーチ結果として報告しないことが想定される。
【００９８】
そこで、ＵＥ３００ａの周辺のＨｅＮＢを検出するための指令（図３のシーケンスＳＱ４）に、検出されたＨｅＮＢがＵＥ３００ａによるアクセスが制限されている場合であっても当該ＨｅＮＢを検出したことをｅＮＢ１００ａに通知することを指示する指令を含めることが好ましい。
【００９９】
このような構成とすることにより、ＵＥ３００ａが接続できないＨｅＮＢ（ＣＳＧメンバでないＨｅＮＢ）を検出したときであっても、現在接続しているｅＮＢ１００ａに当該ＨｅＮＢをサーチ結果として報告させることが可能となる。
【０１００】
それゆえ、ｅＮＢ１００ａは、ＵＥ３００ａを、ｅＮＢ１００ａから、以前は接続できなかったＨｅＮＢ（図３ではＨｅＮＢ２００ａ）にハンドオーバさせることができる。
【０１０１】
（ｅ２．第２の変形例）
図３におけるシーケンスＳＱ１２の指令（サービス種別変更要求）は、ネットワーク（ＭＭＥ／Ｓ−ＧＷ４００）側からの指令である。それゆえ、基本的には、シーケンスＳＱ１４におけるサービス種別の変更は許容されるものとして説明した。しかしながら、これに限定されない。ＨｅＮＢ２００は個々人が設置できるものであるため、ＨｅＮＢ２００の所有者がサービス種別の変更を許容するか否かの設定ができるように、ＨｅＮＢ２００を構成してもよい。
【０１０２】
（ｅ３．第３の変形例）
次に、ＨｅＮＢサーチ要求を受けたＵＥ３００ａがＨｅＮＢサーチの結果、複数のＨｅＮＢを検出したときの処理について説明する。なお、以下では、ＵＥ３００ａがＨｅＮＢ２００ｂ，２００ｃを検出した場合を例に挙げて説明する。また、前提として、ＨｅＮＢ２００がＵＥ３００のアクセスを制限しているとする。
【０１０３】
図８は、通信システム１における他の処理を説明するためのシーケンスチャートである。より具体的には、図８は、通信システム１のうち、ＵＥ３００ａと、ｅＮＢ１００ａと、ＭＭＥ／Ｓ−ＧＷ４００と、ＨｅＮＢ２００ｂ，２００ｃとの間で行なわれる処理を説明するための図である。
【０１０４】
図８を参照して、ＵＥ３００ａとｅＮＢ１００ａとが通信している。また、ｅＮＢ１００ａとＭＭＥ／Ｓ−ＧＷ４００とが通信している。シーケンスＳＱ１０２において、ｅＮＢ１００ａが輻輳を検出したとする。シーケンスＳＱ１０４において、ｅＮＢ１００ａは、輻輳が検出されたことに基づき、ＵＥ３００ａの周辺のＨｅＮＢを検出するための指令をＵＥ３００ａに対して送信する。
【０１０５】
シーケンスＳＱ１０６において、ＵＥ３００ａは、上記指令に基づき、ＨｅＮＢをサーチする。シーケンスＳＱ１０８において、ＵＥ３００ａは、サーチ結果をｅＮＢ１００ａに通知する。ｅＮＢ１００ａは、当該サーチ結果をＵＥ３００ａから受信する。
【０１０６】
サーチ結果が周辺のＨｅＮＢとしてＨｅＮＢ２００ｂ、２００ｃを検出したことを表している場合、シーケンスＳＱ１１０において、ｅＮＢ１００ａは、ＭＭＥ／Ｓ−ＧＷ４００に対して、検出されたＨｅＮＢ２００ｂ、２００ｃのサービス種別の変更を要求する指令（サービス種別変更要求メッセージ）を送信する。ＭＭＥ／Ｓ−ＧＷ４００は、ｅＮＢ１００ａからサービス種別の変更を要求する指令を受信する。ここで、当該指令は、上述したように、サービス種別を「閉鎖モード」から「開放モード」または「ハイブリッドモード」に変更することを指示するものである。
【０１０７】
次いで、ＭＭＥ／Ｓ−ＧＷ４００は、サービス種別の変更を要求する指令をｅＮＢ１００ａから受信したことに基づき、シーケンスＳＱ１１２において、サービス種別の変更を要求する指令をＨｅＮＢ２００ｂに転送する。同様に、ＭＭＥ／Ｓ−ＧＷ４００は、シーケンスＳＱ１１４において、サービス種別の変更を要求する指令をＨｅＮＢ２００ｃに転送する。
【０１０８】
このように、ｅＮＢ１００ａは、ＵＥ３００ａの周辺に位置するＨｅＮＢ２００ｂ，２００ｃが検出された場合であって、ＨｅＮＢ２００ｂ、２００ｃがＵＥ３００ａのアクセスを制限しているとき、検出されたＨｅＮＢ２００ｂ、２００ｃにおけるアクセス制限の解除を要求するための指令を、ＭＭＥ／Ｓ−ＧＷ４００を経由してＨｅＮＢ２００ｂ、２００ｃに送信する。
【０１０９】
ＨｅＮＢ２００ｂは、サービス種別の変更を要求する指令を受信したことに基づき、シーケンスＳＱ１１６において、サービス種別を「閉鎖モード」から、たとえば「開放モード」に変更する。ＨｅＮＢ２００ｂは、サービス種別を変更したことに基づき、シーケンスＳＱ１２０において、サービス種別を切替えたことを表す応答信号（ＡＣＫ）を、ＭＭＥ／Ｓ−ＧＷ４００に送信する。同様に、ＨｅＮＢ２００ｃは、サービス種別の変更を要求する指令を受信したことに基づき、シーケンスＳＱ１１８において、サービス種別を「閉鎖モード」から、たとえば「開放モード」に変更する。ＨｅＮＢ２００ｃは、サービス種別を変更したことに基づき、シーケンスＳＱ１２２において、サービス種別を切替えたことを表す応答信号（ＡＣＫ）を、ＭＭＥ／Ｓ−ＧＷ４００に送信する。なお、ＨｅＮＢ２００ｂ、２００ｃは、サービス種別の変更を許容しない場合には、切替拒否応答（ＮＡＣＫ）をＭＭＥ／Ｓ−ＧＷ４００に送信する。
【０１１０】
シーケンスＳＱ１２４において、ＭＭＥ／Ｓ−ＧＷ４００は、ＨｅＮＢ２００ｂ，２００ｃのサービス種別が変更されたことを表す信号（サービス種別変更メッセージ）を、要求信号の発信元であるｅＮＢ１００ａに転送する。
【０１１１】
シーケンスＳＱ１２６において、ｅＮＢ１００ａは、検出されたＨｅＮＢ２００ｂ，２００ｃの中からハンドオーバ先を決定する。ｅＮＢ１００ａは、たとえば、ＵＥ３００ａからサーチ結果に含まれる受信レベル（ＲＳＲＰ（Reference Signal Received Power）等）に基づいて決定してもよいし、あるいは各ＨｅＮＢ２００ｂ、２００ｃのサービス状況（負荷および／または収容可能人数）に基づいて決定してもよい。ここでは、ｅＮＢ１００ａが、一例として、ＨｅＮＢ２００ｂをハンドオーバ先として決定したとする。
【０１１２】
シーケンスＳＱ１２８において、ｅＮＢ１００ａは、ＵＥ３００ａに対して、ｅＮＢ１００ａからＨｅＮＢ２００ｂにハンドオーバすることを指示する指令を送信する。シーケンスＳＱ１３０において、ハンドオーバ処理が実行される。また、シーケンスＳＱ１３２において、ＵＥ３００ａは、ＨｅＮＢ２００ｂに対してＡＣＫを送信する。このように、ｅＮＢ１００ａは、サービス種別の変更を要求する指令を送信したことに基づき、ＭＭＥ／Ｓ−ＧＷ４００を用いて、ｅＮＢ１００ａから選択されたＨｅＮＢ２００ｂにＵＥ３００ａをハンドオーバさせる処理を実行する。これにより、ＵＥ３００ａは、ＨｅＮＢ２００ｂとの通信を開始する。
【０１１３】
シーケンスＳＱ１３４において、ｅＮＢ１００ａは、選択されなかったＨｅＮＢ２００ｃのサービス種別を「開放モード」から「閉鎖モード」に変更するためのサービス種別変更要求を、ＭＭＥ／Ｓ−ＧＷ４００に送信する。シーケンスＳＱ１３６において、当該サービス種別変更要求をＨｅＮＢ２００ｃに転送する。シーケンスＳＱ１３８において、ＨｅＮＢ２００ｃは、サービス種別を「開放モード」から「閉鎖モード」に変更する。
【０１１４】
シーケンスＳＱ１４０において、ＨｅＮＢ２００ｃは、サービス種別を変更したことを表す応答信号（ＡＣＫ）をＭＭＥ／Ｓ−ＧＷ４００に送信する。シーケンスＳＱ１４２において、ＭＭＥ／Ｓ−ＧＷ４００は、当該応答信号（ＡＣＫ）をｅＮＢ１００ａに転送する。
【０１１５】
以上のように、ｅＮＢ１００ａは、ＨｅＮＢが複数検出された場合、当該複数のＨｅＮＢ２００ｂ、２００ｃの各々がＵＥ３００ａのアクセスが制限されているとき、当該検出されたＨｅＮＢにおけるアクセス制限の解除を要求するための指令を当該検出された複数のＨｅＮＢ２００ｂ、２００ｃに対して送信する。ｅＮＢ１００ａは、検出された複数のＨｅＮＢ２００ｂ、２００ｃから１つのＨｅＮＢを選択する。ｅＮＢ１００ａは、ｅＮＢ１００ａから当該選択されたＨｅＮＢ２００ｂにＵＥ３００ａをハンドオーバさせる。したがって、ＵＥ３００ａが複数のＨｅＮＢを検出した場合であっても、ｅＮＢ１００ａは、いずれかのＨｅＮＢにＵＥ３００ａをハンドオーバさせることができる。
【０１１６】
さらに、ｅＮＢ１００ａは、ＭＭＥ／Ｓ−ＧＷ４００を経由して、アクセス制限を行なうことを指示するための指令を、選択されなかったＨｅＮＢ２００ｃに対して送信する構成である。つまり、ｅＮＢ１００ａは、ハンドオーバ先とならかなったＨｅＮＢのサービス種別を元に戻す指令を当該ＨｅＮＢに送信する。したがって、ｅＮＢ１００ａは、不要なサービス種別の変更が行なわれたままの状態となってしまうことを防止できる。
【０１１７】
［実施の形態２］
本実施の形態では、ＭＭＥ／Ｓ−ＧＷ４００が緊急地震速報を受信した場合の処理について説明する。なお、緊急地震速報は、ＥＴＷＳ（Earthquake and Tunami Warning System）あるいはＰＷＳ（Public Warning System）とも称されている。
【０１１８】
本実施の形態においても、実施の形態１と同様に、前提としてＨｅＮＢ２００がＵＥ３００のアクセスを制限しているとする。つまり、ＨｅＮＢ２００が、ＵＥ３００に対してアクセスを許可しないＣＳＧセルを構成しているものとする。
【０１１９】
＜Ａ．通信システム１における処理の概要＞
図９は、本実施の形態における通信システム１の処理を説明するためのシーケンスチャートである。より具体的には、図９は、通信システム１のうち、ＵＥ３００ａと、ｅＮＢ１００ａと、ＭＭＥ／Ｓ−ＧＷ４００と、ＨｅＮＢ２００ａとの間で行なわれる処理を説明するための図である。なお、以下では、ＵＥ３００ａの周辺にＨｅＮＢ２００ａが位置しているものとする。また、説明の便宜上、ＵＥ３００ａは、ＭＭＥ／Ｓ−ＧＷ４００の管理下にあるＨｅＮＢ２００へのアクセスが制限されているものとする。
【０１２０】
図９を参照して、ＵＥ３００ａとｅＮＢ１００ａとが通信している。また、ｅＮＢ１００ａとＭＭＥ／Ｓ−ＧＷ４００とが通信している。シーケンスＳＱ２０２において、ＭＭＥ／Ｓ−ＧＷ４００が緊急地震速報を受信したとする。シーケンスＳＱ２０４において、ＭＭＥ／Ｓ−ＧＷ４００は、ＭＭＥ／Ｓ−ＧＷ４００の管理下にある全てのＨｅＮＢ２００のサービス種別の変更を要求する指令（サービス種別変更要求メッセージ）を送信する。
【０１２１】
シーケンスＳＱ２０６においては、ＨｅＮＢ２００ａは、サービス種別の変更が可能であると判断した場合、自身のサービス種別を変更する。なお、サービス種別変更要求メッセージを受信したＨｅＮＢ２００の各々は、自身のサービス種別の変更が可能であるか否かを判断する。ＨｅＮＢ２００の各々は、サービス種別の変更を許容する場合には切替え完了メッセージ（ＡＣＫ）をＭＭＥ／Ｓ−ＧＷ４００に送信し、サービス種別の変更を許容しない場合には切替拒否応答（ＮＡＣＫ）をＭＭＥ／Ｓ−ＧＷ４００に送信する。
【０１２２】
シーケンスＳＱ２０８において、ＨｅＮＢ２００ａは、サービス種別を変更したことを示す信号（ＡＣＫ）を、ＭＭＥ／Ｓ−ＧＷ４００に送信する。なお、ＨｅＮＢ２００ａ以外のＨｅＮＢ２００についても、サービス種別の変更の有無に応じて、ＡＣＫまたはＮＡＣＫを、ＭＭＥ／Ｓ−ＧＷ４００に送信する。シーケンスＳＱ２１０において、ＭＭＥ／Ｓ−ＧＷ４００は、ＨｅＮＢ２００ａのサービス種別が変更されたことを表す信号（サービス種別変更メッセージ）を、要求信号の発信元であるｅＮＢ１００ａに転送する。なお、ＨｅＮＢ２００ａ以外のサービス種別の変更したＨｅＮＢについては、ＨｅＮＢ２００ａと同様、それぞれ、ＡＣＫをＭＭＥ／Ｓ−ＧＷ４００に送信する。
【０１２３】
シーケンスＳＱ２１２において、ｅＮＢ１００ａは、サービス種別変更メッセージをＵＥ３００ａに転送する。具体的には、ｅＮＢ１００ａは、サービス種別を変更したＨｅＮＢ２００の情報を通知する。当該通知は、ＵＥ３００ａの周辺のＨｅＮＢを検出するための指令（ＨｅＮＢのサーチを指示する要求信号）を含んでいる。
【０１２４】
シーケンスＳＱ２１４において、ＵＥ３００ａは、サービス種別変更メッセージを受信したことに基づき、周辺に位置するＨｅＮＢをサーチする。シーケンスＳＱ２１６において、ＵＥ３００ａは、サーチ結果をｅＮＢ１００ａに通知する。ｅＮＢ１００ａは、当該サーチ結果をＵＥ３００ａから受信する。
【０１２５】
シーケンスＳＱ２１８において、ｅＮＢ１００ａは、サーチ結果に基づき、検出されたＨｅＮＢ２００へとＵＥ３００ａをハンドオーバさせるか否かを判断する。ここでは、ＵＥ３００ａがＨｅＮＢ２００ａのみを検出したとする。ｅＮＢ１００ａは、たとえばハンドオーバさせると判断した場合、シーケンスＳＱ２２０において、ＵＥ３００ａに対して、ｅＮＢ１００ａからＨｅＮＢ２００ａにハンドオーバすることを指示する指令を送信する。シーケンスＳＱ２２２において、ハンドオーバ処理が実行される。このように、ｅＮＢ１００ａは、サービス種別の変更を要求する指令を送信したことに基づき、ＭＭＥ／Ｓ−ＧＷ４００を用いて、ｅＮＢ１００ａから検出されたＨｅＮＢ２００ａにＵＥ３００ａをハンドオーバさせる処理を実行する。これにより、ＵＥ３００ａは、ＨｅＮＢ２００ａとの通信を開始する。
【０１２６】
以上のように、本実施の形態では、ＭＭＥ／Ｓ−ＧＷ４００は、緊急地震速報の受信に基づき、ＭＭＥ／Ｓ−ＧＷ４００の管理下にある全てのＨｅＮＢ２００に対してサービス種別を、「閉鎖モード」から「開放モード」または「ハイブリッドモード」へ変更する指示を送信する。したがって、緊急時においては、ＵＥ３００の基地局への接続の容易性を通常時よりも向上することができる。
【０１２７】
なお、シーケンスＳＱ２１２においては、サービス種別を変更したＨｅＮＢ２００の情報を通知に、ＵＥ３００ａの周辺のＨｅＮＢを検出するための指令（具体的には、測定要求（Measurement Control））を含めた場合を例に挙げて説明したが、これに限定されるものではない。サービス種別を変更したＨｅＮＢ２００の情報を通知せずに、測定要求を送信する構成であってもよい。また、上記通知に、System Information 変更および変更通知、ＰＣＩを通知するための新規Signaling Message/情報要素を含めてもよい。
【０１２８】
＜Ｂ．まとめ＞
以上のように、ｅＮＢ１００ａは、ＭＭＥ／Ｓ−ＧＷ４００が緊急地震速報を受信したことに基づき、ＭＭＥ／Ｓ−ＧＷ４００によって管理されている複数のＨｅＮＢ２００がＵＥ３００のアクセス制限を解除したことを表す通知を、ＭＭＥ／Ｓ−ＧＷ４００を経由して受信する。ｅＮＢ１００ａは、上記通知が受信されたことに基づき、ＵＥ３００ａに対して、複数の基地局ＨｅＮＢ２００のうちＵＥ３００ａの周辺に設置されているＨｅＮＢ２００を検出するための指令を送信する。ｅＮＢ１００ａは、当該指令の送信に基づき、ＵＥ３００ａから上記検出の結果を受信する。ｅＮＢ１００ａは、ＨｅＮＢ２００ａが検出されたことに基づき、ＭＭＥ／Ｓ−ＧＷ４００を用いて、ｅＮＢ１００ａから当該検出されたＨｅＮＢ２００ａにＵＥ３００ａをハンドオーバさせる。したがって、上述したように、緊急時においては、ＵＥ３００の基地局への接続の容易性を通常時よりも向上することができる。
【０１２９】
また、ｅＮＢ１００ａは、上記通知が受信されたことに基づき、アクセス制限を解除したＨｅＮＢ２００を表した情報をＵＥ３００ａにさらに送信する構成でもある。したがって、ＵＥ３００ａは、周辺のＨｅＮＢ２００のうち、アクセス制限を解除したＨｅＮＢ２００についてのみ受信品質をｅＮＢ１００ａに報告すればよい。さらには、ＵＥ３００ａは、周辺のＨｅＮＢ２００のうち、アクセス制限を解除したＨｅＮＢ２００についてのみ受信品質を測定すればよい。
【０１３０】
上記通知は、複数のＨｅＮＢ２００のうちマクロセル９１０ａ内に設置されているｅＮＢ１００ａについて、アクセス制限を解除したことを表した通知であることが好ましい。したがって、ＭＭＥ／Ｓ−ＧＷ４００は、ｅＮＢ１００ａの管理下にないＨｅＮＢ２００がアクセスを解除したことをｅＮＢ１００ａに通知しなくて済む。それゆえ、ｅＮＢ１００ａの管理下にないＨｅＮＢ２００がアクセスを解除したことをｅＮＢ１００ａに通知する構成に比べて、通信システム１における通信の負荷を低減することができる。
【０１３１】
なお、上記通知は、ＨｅＮＢ２００ａにより構成されるミクロセル９２０ａをクローズドサブスクライバグループセルからハイブリッドセルまたはオープンセルに変更したことを表した通知である。
【０１３２】
［実施の形態３］
実施の形態１，２では、輻輳が検出された場合または緊急地震速報が受信された場合に、ｅＮＢ１００からＨｅＮＢ２００にハンドオーバする構成を説明した。本実施の形態では、輻輳が検出された場合に、ＨｅＮＢ２００からｅＮＢ１００にハンドオーバする構成を説明する。
【０１３３】
＜Ａ．通信システム１における処理の概要＞
図１０は、ｅＮＢ１００ａが、ＨｅＮＢ２００ａが構成するミクロセル９２０ａ（図１参照）において輻輳を検出した場合の処理を説明するための図である。図１０（ａ）は、輻輳が検出される前の通信システム１における通信状態を説明するための図である。図１０（ｂ）は、輻輳が検出された後の通信システム１における通信状態（遷移後の状態）を説明するための図である。なお、ＨｅＮＢ２００ａの代わりにＭＭＥ／Ｓ−ＧＷ４００が輻輳を検出してもよい。
【０１３４】
図１０（ａ）を参照して、ｅＮＢ１００ａ，１００ｂおよびＨｅＮＢ−ＧＷ５００は、ＭＭＥ／Ｓ−ＧＷ４００と通信している。ＨｅＮＢ２００ａは、ｅＮＢ１００ａと通信している。ＨｅＮＢ２００ｂ，２００ｃは、ＨｅＮＢ−ＧＷ５００と通信している。つまり、ＨｅＮＢ２００ｂ，２００ｃは、ＨｅＮＢ−ＧＷ５００を介して、ＭＭＥ／Ｓ−ＧＷ４００と通信している。また、ＵＥ３００ｂは、ｅＮＢ１００ａと通信している。ＵＥ３００ａ，３００ｃは、ＨｅＮＢ２００ａと通信している。
【０１３５】
また、ＨｅＮＢ２００ａ，２００ｂ，２００ｃは、ＵＥ３００ａ，３００ｂ，３００ｃに関して、サービス種別が「開放モード」であるとする。つまり、ＨｅＮＢ２００が、ＵＥ３００に対してアクセスを許可するオープンセルを構成しているものとする。なお、サービス種別は「開放モード」に限定されるものではなく、「ハイブリッドモード」であってもよい。この場合、ＨｅＮＢ２００が、ＵＥ３００に対してアクセスを許可するハイブリッドセルを構成していることになる。また、以下では、ＵＥ３００ａがＨｅＮＢ２００ａのＣＳＧメンバではなく、ＵＥ３００ｃがＨｅＮＢ２００ａのＣＳＧメンバである場合を例に挙げて説明する。
【０１３６】
図１０（ｂ）を参照して、ＨｅＮＢ２００ａが構成するミクロセル９２０ａにおいて輻輳を検出した場合、ＵＥ３００ａは、ＨｅＮＢ２００ａからＵＥ３００ａの周辺に位置するｅＮＢ１００ａにハンドオーバする。一方、ＵＥ３００ｃは、ＨｅＮＢ２００ａのＣＳＧメンバであるため、輻輳が検出されてもハンドオーバを行なわない。なお、ＵＥ３００ｂは、ｅＮＢ１００ａにおいて輻輳が生じていないため、ハンドオーバを行なわない。
【０１３７】
以下では、このようなハンドオーバ処理を実現するための具体的構成を説明する。また、以下では、説明の簡略化のため、ＵＥ３００ａ，３００ｂ，３００ｃのうち、ＵＥ３００ａに着目して、処理の概要を説明する。
【０１３８】
＜Ｂ．データ処理＞
図１１は、本実施の形態における通信システム１の処理を説明するためのシーケンスチャートである。より具体的には、図１１は、通信システム１のうち、ＵＥ３００ａと、ＨｅＮＢ２００ａと、ＭＭＥ／Ｓ−ＧＷ４００と、ｅＮＢ１００ａとの間で行なわれる処理を説明するための図である。
【０１３９】
図１１を参照して、ＵＥ３００ａとＨｅＮＢ２００ａとが通信している。また、ＨｅＮＢ２００ａとＭＭＥ／Ｓ−ＧＷ４００とが通信している。シーケンスＳＱ３０２において、ＨｅＮＢ２００ａが輻輳を検出したとする。シーケンスＳＱ３０４において、ＨｅＮＢ２００ａは、自身のサービス種別の変更が可能か否かを判断する。具体的には、ＨｅＮＢ２００ａは、現在のサービス種別である「開放モード」から「閉鎖モード」への変更が可能であるか否かを判断する。たとえば、ＨｅＮＢ２００ａは、ＭＭＥ／Ｓ−ＧＷ４００を用いてＨｅＮＢ２００ａの周辺の通信状況を取得するとともに、当該通信状況に基づき上記サービス種別の変更が可能か否かを判断する。あるいは、ＨｅＮＢ２００ａは、ＨｅＮＢ２００ａの周辺基地局から受信する電波の強度（受信品質）を測定するとともに、当該測定された強度に基づき上記サービス種別の変更が可能か否かを判断する。なお、以下では、サービス種別の変更が可能であった場合を例に挙げて説明する。
【０１４０】
シーケンスＳＱ３０６において、ＨｅＮＢ２００ａは、ＵＥ３００ａの周辺のｅＮＢを検出するための指令（ｅＮＢのサーチを指示する要求信号）をＵＥ３００ａに対して送信する。具体的には、ＨｅＮＢ２００ａは、従来用いられている「測定要求（Measurement Control）」をＵＥ３００ａに対して送信する。なお、測定要求は、ＵＥ３００ａが受信品質を測定するためのものである。
【０１４１】
シーケンスＳＱ３０８において、ＨｅＮＢ２００ａは、ＨｅＮＢ２００ａのサービス種別が変更可能であることを表す信号（サービス種別変更可能メッセージ）を、ＭＭＥ／Ｓ−ＧＷ４００に送信する。ＭＭＥ／Ｓ−ＧＷ４００は、当該メッセージを受信することにより、ＨｅＮＢ２００ａのサービス種別が閉鎖モードに変更可能であることを判断できる。
【０１４２】
シーケンスＳＱ３１０において、ＵＥ３００ａは、上記指令に基づき、ｅＮＢをサーチする。シーケンスＳＱ３１２において、ＵＥ３００ａは、検出結果であるサーチ結果（Measurement Report）をＨｅＮＢ２００ａに通知する。ＨｅＮＢ２００ａは、当該サーチ結果をＵＥ３００ａから受信する。
【０１４３】
サーチ結果が周辺の基地局としてｅＮＢ１００ａを検出したことを表している場合、シーケンスＳＱ３１４において、ＨｅＮＢ２００ａは、ＵＥ３００ａに対して、ＨｅＮＢ２００ａからｅＮＢ１００ａにハンドオーバすることを指示する指令を送信する。シーケンスＳＱ３１６において、ＭＭＥ／Ｓ−ＧＷ４００を用いたハンドオーバ処理が実行される。このように、ＨｅＮＢ２００ａは、ＭＭＥ／Ｓ−ＧＷ４００にサービス種別変更可能メッセージを送信したことに基づき、ＭＭＥ／Ｓ−ＧＷ４００を用いて、ＨｅＮＢ２００ａから検出されたｅＮＢ１００ａにＵＥ３００ａをハンドオーバさせる処理を実行する。これにより、ＵＥ３００ａは、ｅＮＢ１００ａとの通信を開始する。
【０１４４】
したがって、ＨｅＮＢ２００ａで輻輳が発生した場合、ＨｅＮＢ２００ａは、ＨｅＮＢ２００ａについてＣＳＧメンバでないＵＥ３００ａを他の基地局にハンドオーバさせることによって、ＣＳＧメンバであるＵＥ３００ｃとＨｅＮＢ２００ａとの間の通信品質を向上させることができる。つまり、ＨｅＮＢ２００ａへのアクセスが常に許可されているＵＥ３００ｃについて、ＨｅＮＢ２００ａとの通信品質を向上させることができる。
【０１４５】
＜Ｃ．まとめ＞
以上のように、ＨｅＮＢ２００ａは、アクセス制限が行なわれていない状態において、ＨｅＮＢ２００ａにより構成されるミクロセル９２０ａにおいて輻輳が検出されたことに基づき、アクセス制限の対象となるＵＥ３００ａに対して、ミクロセル９２０ａとは異なるセルを構成するＵＥ３００ａの周辺基地局を検出するための指令を送信する。ＨｅＮＢ２００ａは、当該指令の送信に基づき、アクセス制限の対象となるＵＥ３００ａから上記検出の結果を受信する。ＨｅＮＢ２００ａは、アクセス制限の対象となるＵＥ３００ａが周辺基地局を検出したことに基づき、ＭＭＥ／Ｓ−ＧＷ４００を用いて、ＵＥ３００ａを、ＨｅＮＢ２００ａから検出された周辺基地局へハンドオーバさせる。ＨｅＮＢ２００ａは、ハンドオーバさせたことに基づき、ＨｅＮＢ２００ａの状態を、アクセス制限が行なわれていない状態からアクセス制限の対象となるＵＥ００ａに対してアクセス制限を行なう状態に切替える。したがって、ＨｅＮＢ２００ａは、上述したように、ＵＥ３００ａを除くＨｅＮＢ２００ａへのアクセスが常に許可されているＵＥ３００について、ＨｅＮＢ２００ａとの通信品質を向上させることができる。
【０１４６】
＜Ｄ．変形例＞
上記においては、輻輳が検出されたことをトリガとして、ＵＥ３００ａのハンドオーバが行なわれる構成を例に挙げて説明したが、これに限定されるものではない。輻輳の検出の代わりに、アクセス制限の対象とならないＵＥ３００ｃのサービス品質の低下が検出されたことに基づき、当該アクセス制限の対象となるＵＥ３００ａに対して、ミクロセル９２０ａとは異なるセルを構成するＵＥ３００ａの周辺基地局を検出するための指令を送信するように、ＨｅＮＢ２００ａを構成してもよい。
【０１４７】
また、図１１において、ＵＥ３００ａがｅＮＢを検出する構成（つまり、マクロセルを構成する基地局を検出する構成）を例に挙げて説明したが、これに限定されるものではない。ｅＮＢを検出する代わりに、あるいはｅＮＢの検出とともに、開放モードのＨｅＮＢ、ハイブリッドモードのＨｅＮＢ、および／またはＵＥ３００ａが接続可能な閉鎖モードのＨｅＮＢを検出するように、通信システム１を構成してもよい。
【０１４８】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１４９】
１  通信システム、９１０ａ，９１０ｂ  マクロセル、９２０ａ，９２０ｂ，９２０ｃ  ミクロセル、１００ａ，１００ｂ  ｅＮＢ、２００ａ，２００ｂ，２００ｃ  ＨｅＮＢ、３００ａ，３００ｂ，３００ｃ  ＵＥ、４００  ＭＭＥ／Ｓ−ＧＷ、５００  ＨｅＮＢ−ＧＷ。
【図１】
0005797575.tif 000002
【図２】
0005797575.tif 000003
【図３】
0005797575.tif 000004
【図４】
0005797575.tif 000005
【図５】
0005797575.tif 000006
【図６】
0005797575.tif 000007
【図７】
0005797575.tif 000008
【図８】
0005797575.tif 000009
【図９】
0005797575.tif 000010
【図１０】
0005797575.tif 000011
【図１１】
0005797575.tif 000012